(57)【要約】      （修正有）【課題】レクリエーション感覚と健康増進目的に利用できるようにするとともに、使用できる場所を飛躍的に拡大するブローライフルを提供する。【解決手段】パイプ材Ｐにより形成した吹筒体２と、この吹筒体２の一端開口２ｓから内部に挿入し、当該一端開口２ｓから空気を吹き込むことにより、吹筒体２の他端開口２ｔから外部に飛び出るように形成した飛体３とを備えるブローライフル１を構成するに際して、全長を７００〔ｍｍ〕以上に形成した吹筒体２と、少なくとも先端３ｓ形状を刺さることがないように丸みを持たせ、かつ全体を円柱ブロック状に一体形成した飛体３とを備える。この場合、飛体３は、木質素材により一体形成することができる。【選択図】図１
0003166792.tif 000002
【実用新案登録請求の範囲】
【請求項１】
パイプ材により形成した吹筒体と、この吹筒体の一端開口から内部に挿入し、当該一端開口から空気を吹き込むことにより、前記吹筒体の他端開口から外部に飛び出るように形成した飛体とを備えるブローライフルであって、全長を７００〔ｍｍ〕以上に形成した前記吹筒体と、少なくとも先端形状を刺さることがないように丸みを持たせ、かつ全体を円柱ブロック状に一体形成した飛体とを備えることを特徴とするブローライフル。
【請求項２】
前記吹筒体は、当該吹筒体の一端開口に付設する口当部，当該吹筒体の長手方向の離間した二個所にそれぞれ両端を固定した肩に吊下げ可能な吊下紐，の一方又は双方を備えることを特徴とする請求項１記載のブローライフル。
【請求項３】
前記吹筒体は、内部断面形状を円形状又は非円形状に形成してなることを特徴とする請求項１又は２記載のブローライフル。
【請求項４】
前記飛体は、木質素材により一体形成することを特徴とする請求項１，２又は３記載のブローライフル。
【請求項５】
前記飛体は、周面部に、少なくとも二つ以上の凹溝部又は凸条部を螺旋方向に形成してなることを特徴とする請求項１〜４のいずれかに記載のブローライフル。
【考案の詳細な説明】
【技術分野】
【０００１】
本考案は、パイプ材により形成した吹筒体とこの吹筒体により吹いて飛ばす飛体とを備えるブローライフルに関する。
【背景技術】
【０００２】
従来、パイプ材により形成した吹筒体とこの吹筒体により吹いて飛ばす飛体とを備える玩具或いはスポーツの分野で用いられる吹き矢として、特許文献１で開示される吹矢及び特許文献２で開示される吹き矢道具が知られている。
【０００３】
前者の吹矢は、標的への的中時の衝撃を小さくし、万一、標的を外れた場合でも、被害を小さく抑える吹矢であって、吹筒に装填されて使用される吹矢用の矢が、合成ゴム，天然ゴム及び熱可塑性エラストマーからなる群から選ばれる弾性体材料から構成されたものである。また、後者の吹き矢道具は、吹き矢を行う際にプレイヤーが操作しやすく、矢筒が軽量で丈夫な吹き矢道具であって、軽金属からなる中空円筒状のパイプの全外周に軸方向に一定間隔で形成した溝と、パイプの一端開口に設けた吹き口とからなる矢筒と、矢筒の外周に外嵌されて軸方向にスライド自在な生木を切り抜いた中空状の把持部と、を具備して構成されたものである。
【先行技術文献】
【特許文献】
【０００４】
【特許文献１】特開２００１−１６５５９５号公報
【特許文献２】特開２００６−０４６８２０号公報
【考案の概要】
【考案が解決しようとする課題】
【０００５】
しかし、上述した従来の吹き矢（特許文献１，特許文献２）は、次のような問題点があった。
【０００６】
第一に、主に玩具用の吹き矢として構成される場合、特許文献１のように、矢を、合成ゴム，天然ゴム及び熱可塑性エラストマー等の弾性体材料により安全性が考慮されるとともに、他方、主に屋内スポーツ用の吹き矢として構成される場合、特許文献２のように、矢は、先端に標的に突き刺す尖形部を形成することが必須となる。したがって、いずれの矢も、飛ばした後は回収する必要があるため、回収できないような場所、例えば、山や野原等の自然の場所での使用は不適切となるなど、使用場所が限定される。
【０００７】
第二に、従来の吹き矢は、玩具用の吹き矢と屋内スポーツ用の吹き矢に大別され、その中間的な吹き矢、即ち、玩具用でもなく屋内スポーツ用でもない吹き矢、例えば、大人が、ハイキングをしながら樹木の果実を標的にして遊ぶなど、レクリエーション感覚，健康増進，屋外スポーツなどを目的として使用できる吹き矢はほとんど存在しないのが実状である。
【０００８】
本考案は、このような背景技術に存在する課題を解決したブローライフルの提供を目的とするものである。
【課題を解決するための手段】
【０００９】
本考案は、上述した課題を解決するため、パイプ材Ｐにより形成した吹筒体２と、この吹筒体２の一端開口２ｓから内部に挿入し、当該一端開口２ｓから空気を吹き込むことにより、吹筒体２の他端開口２ｔから外部に飛び出るように形成した飛体３とを備えるブローライフル１を構成するに際して、全長Ｌｐを７００〔ｍｍ〕以上に形成した吹筒体２と、少なくとも先端３ｓ形状を刺さることがないように丸みを持たせ、かつ全体を円柱ブロック状に一体形成した飛体３とを備えることを特徴とする。
【００１０】
この場合、考案の好適な態様により、吹筒体２には、当該吹筒体２の一端開口２ｓに装着する口当部１１，当該吹筒体２の長手方向の離間した二個所にそれぞれ両端１２ｓ，１２ｔを固定した肩に吊下げ可能な吊下紐１２，の一方又は双方を設けることができる。なお、吹筒体２の内部断面形状は、円形状Ｒｓに形成してもよいし、又は非円形状Ｒｅに形成してもよい。一方、飛体３は、木質素材により一体形成することが望ましい。また、飛体３は、周面部に、少なくとも二つ以上の凹溝部（又は凸条部）３ｗ…を螺旋方向に形成することができる。
【考案の効果】
【００１１】
このような構成を有する本考案に係るブローライフル１によれば、次のような顕著な効果を奏する。
【００１２】
（１）  全長Ｌｐを７００〔ｍｍ〕以上に形成した吹筒体２と、少なくとも先端３ｓ形状を刺さることがないように丸みを持たせ、かつ全体を円柱ブロック状に一体形成した飛体３とを備えて構成したため、レクリエーション感覚と健康増進目的に最適なブローライフルとして利用できるなど、利用形態を様々な目的や用途に広げることができる。
【００１３】
（２）  好適な態様により、吹筒体２に、当該吹筒体２の一端開口２ｓに装着する口当部１１，当該吹筒体２の長手方向の離間した二個所にそれぞれ両端１２ｓ，１２ｔを固定した肩に吊下げ可能な吊下紐１２，の一方又は双方を設ければ、使い勝手や利便性の向上など、ブローライフル１の付加価値をより高めることができる。
【００１４】
（３）  好適な態様により、吹筒体２の内部断面形状を非円形状Ｒｅに形成すれば、飛体３の断面形状を当該非円形状Ｒｅに合わせることにより、専用の飛体３のみを使用可能となるため、例えば、一般的な、硬質の球体や先端が尖った矢体の使用ができなくなり、屋外で自由に使用する際の安全性を高めることができる。
【００１５】
（４）  好適な態様により、飛体３を木質素材により一体形成すれば、山や野原等の自然の場所で使用する場合であっても、飛ばした飛体３を回収する必要が無くなるため、そのまま放置できるなど、使用できる場所を、自然の場所を含めて飛躍的に拡大することができる。
【００１６】
（５）  好適な態様により、飛体３の周面部に、少なくとも二つ以上の凹溝部（又は凸条部）３ｗ…を螺旋方向に形成すれば、吹筒体２から飛体３を飛ばす際に、飛体３に回転を与えることが可能になるため、飛体３の飛距離を長くしたり、飛方向を安定化させることができる。
【図面の簡単な説明】
【００１７】
【図１】本考案の好適実施形態に係るブローライフルの吹筒体の外観斜視図，及び飛体の背面図と一部破断側面図、
【図２】同ブローライフルにおける吹筒体の側面断面図及び背面図、
【図３】同ブローライフルの使用説明図、
【図４】本考案の変更実施形態に係る飛体の背面図と側面図、
【図５】本考案の変更実施形態に係る吹筒体の断面図、
【考案を実施するための形態】
【００１８】
次に、本考案に係る好適実施形態を挙げ、図面に基づき詳細に説明する。
【００１９】
まず、本実施形態に係るブローライフル１の構成について、図１及び図２を参照して具体的に説明する。
【００２０】
本実施形態に係るブローライフル１は、大別して、図１に示す吹筒体２と飛体３の組合わせにより構成する。吹筒体２は、プラスチック素材或いはアルミニウム素材等の軽量かつ剛性を有する素材により形成したパイプ材Ｐを用いる。パイプ材Ｐの好適なディメンションとしては、図２に示すように、全長Ｌｐを７００〔ｍｍ〕以上、望ましくは１０００〔ｍｍ〕以上に選定するとともに、直径（外径）Ｄｐを１６〔ｍｍ〕に選定する。
【００２１】
一方、飛体３は、少なくとも先端３ｓ形状を刺さることがないように丸みを持たせ、かつ全体を円柱ブロック状に一体形成する。この場合、形成素材には、木質素材を利用する。木質素材としては、様々な種類の樹木を利用できるとともに、特に、サイズ的に小さいため、未使用の木材（バージン材）のみならず、使用後の木材（廃材）もリサイクル材として利用可能である。また、丸みとは、例示のように、先端３ｓを半球形の形状に形成してもよいし、或いは先端３ｓを円錐形に形成し、この円錐形の先端部分を刺さることがないように面取りするなどの加工を施した形状に形成してもよい。飛体３は、全体を円柱ブロック状に一体形成するため、全体長Ｌｆを選定することにより、飛体３の重量を容易に変更することができる。したがって、健康増進用具として使用する場合、使用者は自身の体力等に適した重量の飛体３を選択使用することが可能となる。なお、パイプ材Ｐの直径（外径）Ｄｐを１６〔ｍｍ〕に選定した場合、飛体３の全体長Ｌｆは１０〔ｍｍ〕程度を最小長さとし、適宜、全体長Ｌｆを変えることができる。図２中、３ｒは、飛体３の背面に形成した空気受け用の凹球面部を示す。
【００２２】
このように、飛体３を木質素材により一体形成すれば、山や野原等の自然の場所で使用する場合であっても、飛ばした飛体３を回収する必要が無くなるため、そのまま放置できるなど、使用できる場所を、自然の場所を含めて飛躍的に拡大できる利点がある。
【００２３】
また、吹筒体２には、当該吹筒体２の一端開口２ｓに装着する口当部１１や当該吹筒体２の長手方向の離間した二個所にそれぞれ両端１２ｓ，１２ｔを固定した肩に吊下げ可能な吊下紐１２を設けることができる。口当部１１は、マウスピースとして機能させることができるとともに、ゴム素材やプラスチック素材により一体形成し、吹筒体２の一端開口２ｓに対してキャップのように着脱可能にすることが望ましい。口当部１１を着脱可能にすることにより、複数の利用者が吹筒体２を兼用できる利点がある。この場合、口当部１１は、衛生性及び安全性を高めるため、素材及び形状を含めて容易に水洗い等ができるように考慮するとともに、特に、口当部１１と吹筒体２の間に使い捨ての滅菌ガーゼ等を挟めるようにして、利用者間に感染等が生じないようにすることが望ましい。
【００２４】
一方、吊下紐１２も吹筒体２に対して着脱可能に構成する。この場合、例えば、断面をＣ形に形成して吹筒体２の外周面に対して着脱可能な一対の弾性着脱体１３ｓ，１３ｔを用意し、この一対の弾性着脱体１３ｓ，１３ｔに吊下紐１２の両端１２ｓ，１２ｔをそれぞれ結合するなどにより構成できる。なお、紐の概念にはバンド類や手で持つことができるグリップ等の形態も含まれる。
【００２５】
このように、吹筒体２に、当該吹筒体２の一端開口２ｓに装着する口当部１１、或いは当該吹筒体２の長手方向の離間した二個所にそれぞれ両端１２ｓ，１２ｔを固定した肩に吊下げ可能な吊下紐１２を備えるようにすれば、使い勝手や利便性の向上など、ブローライフル１の付加価値をより高めることができる。
【００２６】
次に、本実施形態に係るブローライフル１の使用方法及び作用について、図３，図１及び図２を参照して説明する。
【００２７】
本実施形態に係るブローライフル１は、吊下紐１２を装着することにより、例えば、ハイキング等において、利用者Ｈ（図３）の肩に掛けて形態することができる。一方、使用する際には、通常のブローライフルと同様に使用することができる。即ち、使用する飛体３を用意し、この飛体３を、吹筒体２の一端開口２ｓから内部に挿入する。そして、図３に示すように、口当部１１に使用者Ｈの口（唇）を当て、吹筒体２の一端開口２ｓから空気を勢いよく吹き込めば、内部の飛体３を吹筒体２の他端開口２ｔから外部に飛び出させることができる。なお、図３中、Ｈｈは使用者Ｈの手を示す。
【００２８】
したがって、本実施形態に係るブローライフル１は、例えば、ハイキング等の途中で樹木の果実を標的にしたり、或いは自然構造物を標的にするなど、屋外で遊ぶことができる。この際、吹筒体２の全長Ｌｐを７００〔ｍｍ〕以上に形成、望ましくは１０００〔ｍｍ〕以上に形成するため、レクリエーション感覚に加えて健康増進用具としても最適なブローライフルとして利用できる。特に、使用者Ｈの体力等に対応したサイズ（全長Ｌｆ）の飛体３を選定すれば、飛体３の重量を任意に設定できるため、健康増進目的として、より効果的なブローライフルとして使用できるとともに、さらに、バイアスロン的なスポーツの楽しさを、より多くの人達に普及させることができる。
【００２９】
しかも、飛体３は、木質素材により一体形成するため、このようなハイキング等により、山や野原等の自然の場所で使用する場合であっても、吹いた飛体３をそのまま自然の場所に放置することができるため、自然界（動植物）にとって害になることはない。このように、本実施形態に係るブローライフル１は、利用形態も様々な目的や用途に広げることができる。
【００３０】
次に、本考案の変更実施形態に係る飛体３及び吹筒体２について、図４及び図５を参照して説明する。
【００３１】
図４に示す変更実施形態に係る飛体３は、周面部に、少なくとも二つ以上（例示は三つ）の凹溝部３ｗ…を螺旋方向に形成したものである。これにより、吹筒体２から飛体３を飛ばす際に、飛体３に回転を与えることが可能になるため、飛体３の飛距離を長くしたり、飛方向を安定化させることができる。なお、凹溝部の代わりに凸条部を形成してもよい。その他、図４において、図１と同一部分については、同一符号を付し、その構成を明確化した。
【００３２】
図５に示す変更実施形態に係る吹筒体２は、内部断面形状を変更したものである。図１及び図２の基本実施形態では、図２に示すように、吹筒体２の内部断面形状を円形状Ｒｓに形成したが、図５の変更実施形態に係る吹筒体２の内部断面形状は非円形状Ｒｅに形成したものである。これにより、飛体３の断面形状を、当該非円形状Ｒｅに対して相似形に形成すれば、専用の飛体３のみを使用可能になるため、例えば、一般的な、硬質球体や先端が尖った矢体などが使用できなくなり、屋外で自由に使用する際の安全性を高めることができる。なお、必要により、吹筒体２の内面に螺旋条を設けたり、吹筒体２を螺旋方向に捻った形態にしてもよい。その他、図５において、図１及び図２と同一部分については、同一符号を付し、その構成を明確化した。
【００３３】
以上、好適実施形態及び変更実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００３４】
例えば、吹筒体２には、当該吹筒体２の一端開口２ｓに装着する口当部１１と当該吹筒体２の長手方向の離間した二個所にそれぞれ両端１２ｓ，１２ｔを固定した肩に吊下げ可能な吊下紐１２の双方を例示したが、いずれか一方のみを設けてもよいし、双方を設ける場合又は双方を設けない場合も含む。また、飛体３は、木質素材により一体形成する場合を示したが、使用する場所によっては、木質素材以外の素材、例えば、プラスチック，紙等の単一素材或いは複数の素材を組合わせた複合素材も可能であり、木質素材以外の素材を排除するものではない。
【産業上の利用可能性】
【００３５】
本考案に係るブローライフル１は、玩具及び屋内スポーツに利用できることに加え、これらの中間的な分野となる大人のレクリエーション，健康増進，屋外スポーツ等を目的した用具として幅広い様々な分野で利用できる。
【符号の説明】
【００３６】
１：ブローライフル，２：吹筒体，２ｓ：吹筒体の一端開口，２ｔ：吹筒体の他端開口，３：飛体，３ｓ：飛体の先端，３ｗ…：凹溝部（又は凸条部），１１：口当部，１２：吊下紐，１２ｓ，１２ｔ：吊下紐の両端，Ｐ：パイプ材，Ｌｐ：吹筒体の全長，Ｒｓ：円形状，Ｒｅ：非円形状
【図１】
0003166792.tif 000003
【図２】
0003166792.tif 000004
【図３】
0003166792.tif 000005
【図４】
0003166792.tif 000006
【図５】
0003166792.tif 000007